(57)【要約】【課題】  児童がランドセルを背負ったままでも、袋などの小物を吊り下げたり外したりするのが、非常に行い易く、また吊り下げた袋などの小物が児童の歩行中に、何かに引っ掛かったりして強い力が作用しても、その小物が外れて、児童が引き倒されりして怪我をすることがなく安全で、しかも背負った場合に疲労しにくいランドセルを提供する。【解決手段】  ランドセル本体１の背面部２に取り付けた一対の肩掛けベルト４の少なくとも一方の背負部６と接続部７の何れかの個所に、小物吊り下げ用のナス環８を設けたものとしている。そして、前記肩掛けベルト４の背負部６を、緩く湾曲させて、その外側部６ａを内側部６ｂより短く形成したものとしている。【選択図面】    図１
2006006713.tif 000002
【特許請求の範囲】
【請求項１】
ランドセル本体（１）の背面部（２）に取り付けた一対の肩掛けベルト（４）の少なくとも一方の背負部（６）と接続部（７）の何れかの個所に、小物吊り下げ用のナス環（８）を設けたことを特徴とするランドセル。
【請求項２】
前記肩掛けベルト（４）の背負部（６）を、緩く湾曲させて、その外側部（６ａ）を内側部（６ｂ）より短く形成したことを特徴とする請求項１記載のランドセル。
【請求項３】
前記ナス環（８）を、肩掛けベルト（４）の背負部（６）と接続部（７）の間に設けたことを特徴とする請求項１〜４の何れかに記載のランドセル。
【請求項４】
前記ナス環（８）を、肩掛けベルト（４）の背負部（６）の上部に設けたことを特徴とする請求項１〜４の何れかに記載のランドセル。
【請求項５】
前記ナス環（８）を、肩掛けベルト（４）の接続部（７）の下部に設けたことを特徴とする請求項１〜４の何れかに記載のランドセル。
【請求項６】
前記ナス環（８）に、児童がランドセルを背負った状態で、水平方向に約１５ｋｇ以上の引っ張り力が作用したとき、ナス環（８）に吊り下げた小物が肩掛けベルト（４）から外れるようにしたことを特徴とする請求項１記載のランドセル。
【請求項７】
前記ナス環（８）に、児童がランドセルを背負った状態で、垂直方向に約７ｋｇ以上の引っ張り力が作用したとき、ナス環（８）に吊り下げた小物が肩掛けベルト（４）から外れるようにしたことを特徴とする請求項１記載のランドセル。
【請求項８】
ランドセル本体（１）の背面部（２）に取り付けた一対の肩掛けベルト（４）の少なくとも一方の背負部（６）と接続部（７）の間に、小物吊り下げ用のナス環（８）を設けると共に、前記肩掛けベルト（４）の背負部（６）を、緩く湾曲させて、その外側部（６ａ）を内側部（６ｂ）より短く形成したことを特徴とするランドセル。
【発明の詳細な説明】
【技術分野】
【０００１】
この発明は、防犯ブザー、定期入れ、給食袋、上靴袋などの小物を吊り下げておくことができ、しかも背負った場合に疲労しにくいランドセルに関するものである。
【背景技術】
【０００２】
従来、上記したような小物をランドセルに取り付けるには、例えば図５、６に示したような、ランドセルの側面ないし背面に吊されるフック状の袋掛けが存在する。この袋掛けは、取りつける相手部材に沿って上下に配置される背面部３１、その背面部３１の下端より前方へ延び、さらに上方に湾曲する引っ掛け部３２、および背面部３１の上端に設けられる支持部３３からなるフック本体３４と、前記支持部３３にその基部が連結され、その先端が前記引っ掛け部３２の先端部の内面に当接するように付勢されている押え部材３５とからなり、前記引っ掛け部３２の先端部に、内側に向かって下がるように傾斜する傾斜部３６が設けられ、かつ、その傾斜部３６の下部に、押え部材３５の先端３７が内側から当接する顎部３８が設けられている（特許文献１）。
【０００３】
このように構成した従来のランドセルなど用の袋掛けは、柔らかいひもＳでぶら下げる袋であっても、フック本体３４の先端部に引っ掛けて引き下ろすだけで、簡単にフック本体３４に引っ掛けることができるという効果を奏するものとしている。
【特許文献１】特開平９−５１８４５号（第２頁、図１、３）
【発明の開示】
【発明が解決しようとする課題】
【０００４】
しかしながら、上記従来のランドセルなど用の袋掛けは、ランドセルの側面ないし背面に吊されるものとしているため、児童がランドセルを背負ったままでは、手が届きにくかったり、見づらかったりして、袋などの小物を吊り下げたり外したりするのが、非常に行いにくいという問題点を有していた。
【０００５】
さらに、上記従来のランドセルなど用の袋掛けは、吊り下げた袋などの小物が、児童の歩行中に何かに引っ掛かったりして強い力が作用しても、その小物が外れないので、歩行の勢いで児童が引き倒されたりして、怪我をするなどして危険であるという問題点を有していた。
【０００６】
そこで、この発明は、上記従来の問題点を解決することをその課題としており、児童がランドセルを背負ったままでも、袋などの小物を吊り下げたり外したりするのが、非常に行い易く、また吊り下げた袋などの小物が児童の歩行中に、何かに引っ掛かったりして強い力が作用しても、その小物が外れて、児童が引き倒されりして怪我をすることがなく安全で、しかも背負った場合に疲労しにくいランドセルを提供することを目的としてなされたものである。
【課題を解決するための手段】
【０００７】
そのため、この発明のランドセルは、ランドセル本体１の背面部２に取り付けた一対の肩掛けベルト４の少なくとも一方の背負部６と接続部７の何れかの個所に、小物吊り下げ用のナス環８を設けたものとしている。
【０００８】
そして、この発明のランドセルは、前記肩掛けベルト４の背負部６を、緩く湾曲させて、その外側部６ａを内側部６ｂより短く形成したものとしている。
【０００９】
さらに、この発明のランドセルは、前記ナス環８を、肩掛けベルト４の背負部６と接続部７の間に設けたものとしている。
【００１０】
また、この発明のランドセルは、前記ナス環８を、肩掛けベルト４の背負部６の上部に設けたものとしている。
【００１１】
さらに、この発明のランドセルは、前記ナス環８を、肩掛けベルト４の接続部７の下部に設けたものとしている。
【００１２】
また、この発明のランドセルは、前記ナス環８に、児童がランドセルを背負った状態で、水平方向に約１５ｋｇ以上の引っ張り力が作用したとき、ナス環８に吊り下げた小物が肩掛けベルト４から外れるようにしたものとしている。
【００１３】
さらに、この発明のランドセルは、前記ナス環８に、児童がランドセルを背負った状態で、垂直方向に約７ｋｇ以上の引っ張り力が作用したとき、ナス環８に吊り下げた小物が肩掛けベルト４から外れるようにしたものとしている。
【発明の効果】
【００１４】
この発明のランドセルは、以上に述べたように構成されているので、児童がランドセルを背負ったままでも、袋などの小物を吊り下げたり外したりするのが、非常に行い易くなり、また吊り下げた袋などの小物が児童の歩行中に、何かに引っ掛かったりして強い力が作用しても、その小物が外れるので、児童が引き倒されりして怪我をすることがなく安全で、しかも背負った場合に疲労しにくいものとなった。
【発明を実施するための最良の形態】
【００１５】
以下、この発明のランドセルを実施するための最良の形態を、図面に基づいて詳細に説明する。
【００１６】
この発明のランドセルは、図１に示したように、ランドセル本体１の背面部２の上部に被せ蓋３が取り付けられ、さらにこの背面部２の上部中央部に一対の肩掛けベルト４の上端部が取り付けられている。さらに、この肩掛けベルト４の下端部は下ひもベルト５に接続されている。
【００１７】
前記肩掛けベルト４は、図２に示したように、長尺の帯状体としており、その上半部を背負部６、下半部を接続部７とし、これら背負部６と接続部７の何れかの個所に、小物吊り下げ用のナス環８を設けたものとしている。図示したものでは、前記ナス環８を肩掛けベルト４の背負部６と接続部７の間に設けたものとしているが、児童の背丈や好みなどに応じて、肩掛けベルト４の背負部６の上部に設けたものとしても、肩掛けベルト４の接続部７の下部に設けたものとしても、肩掛けベルト４のその他の個所に設けたものとしてもよい。また、図示したものでは、前記ナス環８を肩掛けベルト４の一方に設けたものとしているが、両方に設けたものとしてもよい。
【００１８】
そして、前記肩掛けベルト４の背負部６は、緩く湾曲させており、その外側部６ａを内側部６ｂより短く形成したものとしており、接続部７には、肩掛けベルト４の長さ調節のための複数の小穴９を設けたものとしている。
【００１９】
前記ナス環８は、図３、４に示したように、上端にリング状の取付部１１が設けられた背面部１２、その背面部１２の下端より前方へ延び、さらに上方に湾曲する引っ掛け部１３、および背面部１２の上部に設けられる支持部１４からなるフック本体１５と、前記支持部１４にその基部が連結され、その先端が前記引っ掛け部１３の先端部の内面に当接するように付勢されている押え部材１６とからなるものとしており、止め具２１によって前記肩掛けベルト４に取り付けられるものとしている。
【００２０】
前記止め具２１は、当板部２２と、弾性を有するフック部２３と、係止部２４とからなり、フック部２３にナス環８のリング状の取付部１１を遊嵌する取付空間２３ａを設けると共に当板部２２側に開口２３ｂを設け、さらに前記フック部２３と当板部２２との間にナス環８の取付部１１の厚さよりも小さいすき間２５を設け、前記すき間２５にリング状の取付部１１を押し込んだときにはフック部２３が弾性変形して前記すき間２５を通すことができるようにしている。この止め具２１は、係止部２４に設けたリベット孔２４ａから肩掛けベルト４に設けたリベット孔４ａにリベットＲを通し、このリベットＲをかしめることにより、肩掛けベルト４に固定されるようにしている。
【００２１】
さらに、前記ナス環８に、児童がランドセルを背負った状態で、水平方向に約１５ｋｇ以上の引っ張り力が作用したとき、または垂直方向に約７ｋｇ以上の引っ張り力が作用したとき、ナス環８に吊り下げた小物が肩掛けベルト４から外れるようにしたものとしている。すなわち、前記ナス環８に吊り下げた小物は、前記ナス環８に水平方向に約１５ｋｇ以上の引っ張り力が作用したとき、または垂直方向に約７ｋｇ以上の引っ張り力が作用したとき、止め具２１が破損するか、ナス環８自体が破損するようにして、肩掛けベルト４から外れるようにしたものとしている。なお、ナス環８自体が破損するようにした場合には、このナス環８が破損したときには、このナス環８を取り外し、新しものに取り替えればよい。ナス環８を取り外すには、フック部２３の取付空間２３ａに位置するリング状の取付部１１を開口部２３ｂに通し、すき間２５に通して引き抜けばよい。また、ナス環８を取り付けるには、当接板２２とフック部２３とのすき間２５から押し込み、フック部２３の開口部２３ｂに通せば、リング状の取付部１１がフック部２３の取付空間２３ａに位置することになり、このフック部２３に取り付けることができる。
【００２２】
以上のように構成したこの発明のランドセルは、児童が背負う前に、防犯ブザー、定期入れ、給食袋、上靴袋などの小物（図示せず）に取り付けられた紐を、肩掛けベルト４に設けたナス環８に引っ掛けておけば、これらの小物を吊り下げておくことができる。そして、児童がランドセルを背負うと、肩掛けベルト４に設けたナス環８は、児童の胸や脇の傍に位置することになるので、小物の吊り下げ状態を確認でき、安全な状態で使用することができる。この吊り下げた小物を肩掛けベルト４から外すには、通常は背負ったランドセルを下ろしてから行う。しかし、この発明のランドセルでは、ランドセルを背負った状態でも吊り下げた小物は手の届く範囲にあるので、ランドセルを背負ったままでもその小物を肩掛けベルト４から外すこともできる。
【００２３】
また、この発明のランドセルでは、ナス環８に吊り下げた袋などの小物が児童の歩行中に、何かに引っ掛かったりして、児童がランドセルを背負った状態で、水平方向に約１５ｋｇ以上、または垂直方向に約７ｋｇ以上の強い力が作用しても、止め具２１またはナス環８自体が破損し、その小物がナス環８や止め具２１ごと外れるので、児童が引き倒されりして怪我をすることがなく安全な状態で使用することができるものとなる。なお、児童がランドセルを背負った状態で、水平方向に約１５ｋｇ以上、または垂直方向に約７ｋｇ以上の引っ張り力が作用したとき、小物が肩掛けベルト４から外れるようにしたのは、児童の体重や体力を参考にして安全性を考慮したものである。
【００２４】
さらに、この発明のランドセルでは、肩掛けベルト４の背負部６を、その外側部６ａを内側部６ｂより短く形成したものとしているので、児童がランドセルを背負うと、その背負部６は全幅が胸から脇に接触することになる。すなわち、児童の胸から脇によくフィットし、全幅をもってランドセルの重量を受けることができる。したがって、肩掛けベルト４に小物を吊り下げていても、ランドセルが肩からずれにくくなり、安定した状態でランドセル背負っておけるので、児童は疲労しにくいものなる。
【図面の簡単な説明】
【００２５】
【図１】この発明のランドセルの一実施形態を示す背面図である。
【図２】この発明のランドセルの肩掛けベルトの平面図である。
【図３】この発明のランドセルの肩掛けベルトに取り付けたナス環の斜視図である。
【図４】図２中のＡ−Ａ線による肩掛けベルトに取り付けたナス環の断面図である。
【図５】従来のランドセルなど用の袋掛けの斜視図である。
【図６】従来のランドセルなど用の袋掛けの側面図である。
【符号の説明】
【００２６】
１  ランドセル本体
２  背面部
４  肩掛けベルト
６  背負部
６ａ  外側部
６ｂ  内側部
７  接続部
８  ナス環
【図１】
2006006713.tif 000003
【図２】
2006006713.tif 000004
【図３】
2006006713.tif 000005
【図４】
2006006713.tif 000006
【図５】
2006006713.tif 000007
【図６】
2006006713.tif 000008